(57)【要約】  本医療装置は、非制限帯域において発信されるＲＦデータ信号を受信するように構成されたＲＦ遠隔測定部を具備し、またＲＦ遠隔測定部が受信したＲＦデータ信号を処理するように構成された処理部を有する。
2007525243.tif 000002
【特許請求の範囲】
【請求項１】
非制限周波数帯域で発信されるＲＦデータ信号を受信するように構成されたＲＦ遠隔測定部と、前記ＲＦ遠隔測定部が受信した前記ＲＦデータ信号を処理するように構成された処理部とを有する医療装置。
【請求項２】
前記処理部は主処理ユニットとインターロック処理ユニットを有する請求項１の医療装置。
【請求項３】
前記非制限周波数帯は１３．４０−１３．７０ＭＨｚである請求項１の医療装置。
【請求項４】
前記ＲＦ遠隔測定器は１３．５６ＭＨｚの搬送信号内で符号化されたデータを受信するように構成されている請求項１の医療装置。
【請求項５】
前記ＲＦ遠隔測定部はさらに１３．５６ＭＨｚの搬送信号内で符号化されたデータを送信するように構成されている請求項１の医療装置。
【請求項６】
ＲＦ遠隔測定部は小型アンテナを有する請求項１の小型アンテナ。
【請求項７】
前記小型アンテナは渦巻き状アンテナである請求項６の医療装置。
【請求項８】
前記小型アンテナは螺旋状アンテナである請求項６の医療装置。
【請求項９】
前記小型アンテナの実効長は搬送信号の波長の所定割合である請求項６の医療装置。
【請求項１０】
前記ＲＦデータ信号は所定の確認シーケンスを含むことができ、ＲＦ遠隔測定部はさらに前記ＲＦデータ信号を検査することにより該ＲＦデータ信号が所定の確認シーケンスを含むかどうかを確認するように構成されている請求項１の医療装置。
【請求項１１】
前記ＲＦ遠隔測定部はさらに、前記ＲＦデータ信号が所定の確認シーケンスを含んでいる場合には、前記ＲＦデータ信号を送信する装置に対して応答信号を送信するように構成されている請求項１０の医療装置。
【請求項１２】
前記ＲＦ遠隔測定部と前記処理部の少なくとも一部は単一のマイクロチップに合体されている請求項１の医療装置。
【請求項１３】
前記単一のマイクロチップは専用集積回路である請求項１２の医療装置。
【請求項１４】
さらに医療装置の前記処理部に応答して前記ＲＦ信号に従って医薬の供給を行う供給装置を備えている請求項１の医療装置。
【請求項１５】
前記医薬はインシュリンである請求項１４の医療装置。
【請求項１６】
非制限周波数帯域で発信されるＲＦデータ信号を受信し、受信したそのＲＦデータ信号を処理することを含む医療装置との通信方法。
【請求項１７】
非制限周波数帯域は１３．４０−１３．７０ＭＨｚである請求項１６の方法。
【請求項１８】
ＲＦデータ信号の受信は１３．５６ＭＨｚの搬送信号内で符号化されたデータを受信することである請求項１６の方法。
【請求項１９】
さらに１３．５６ＭＨｚの搬送信号内で符号化されたデータを送信することを含む請求項１６の方法。
【請求項２０】
前記ＲＦデータ信号は所定の確認シーケンスを含み、さらに本方法は前記ＲＦデータ信号を検査して前記ＲＦデータ信号が所定の確認シーケンスを含むことを確かめることを含む請求項１６の方法。
【請求項２１】
さらに、前記ＲＦデータ信号が所定の確認シーケンスを含むことが決定された場合に、前記ＲＦデータ信号を送信した装置に応答信号を送信する請求項２０の方法。
【請求項２２】
コンピュータのプロセッサに対して、非制限周波数帯域で発信されるＲＦデータ信号を受信し、受信した前記ＲＦデータ信号を処理するように指示する複数の命令を記憶した、コンピュータで読み取り可能なコンピュータプログラム媒体。
【請求項２３】
非制限周波数帯域は１３．４０−１３．７０ＭＨｚである請求項２２のコンピュータプログラム媒体。
【請求項２４】
ＲＦデータ信号を受信する前記命令は１３．５６ＭＨｚの搬送信号内で符号化されたデータを受信するめの命令を含む請求項２２のコンピュータプログラム媒体。
【請求項２５】
さらに１３．５６ＭＨｚの搬送信号内で符号化されたデータを送信するための命令を含む請求項２２のコンピュータプログラム媒体。
【請求項２６】
前記ＲＦデータ信号は所定の確認シーケンスを含み、コンピュータプログラム媒体はさらにＲＦデータ信号を検査することにより該ＲＦデータ信号が所定の確認シーケンスを含むことを確認するための命令を含む請求項２２のコンピュータプログラム媒体。
【請求項２７】
さらに、前記ＲＦデータ信号が所定の確認シーケンスを含んでいる場合には、前記ＲＦデータ信号を送信する装置に対して応答信号を送信するための命令を含んでいる請求項２６のコンピュータプログラム媒体。
【請求項２８】
遠隔制御器と輸液ポンプとを含み、前記輸液ポンプは、前記液体を供給するための供給器と、非制限周波数帯域で発信される前記遠隔制御器からのＲＦデータ信号を受信する遠隔測定部と、前記ＲＦ遠隔測定部が受信したＲＦデータ信号を処理して前記ＲＦ遠隔測定部から受信したＲＦデータ信号に従って前記供給器を制御する処理部よりなる、流体を患者に供給するためのシステム。
【請求項２９】
前記非制限周波数帯は１３．４０−１３．７０ＭＨｚである請求項２８のシステム。
【請求項３０】
前記ＦＲ遠隔測定部はさらに１３．５６ＭＨｚの搬送信号内で符号化された信号を受信するように構成されている請求項２８のシステム。
【請求項３１】
前記ＦＲ遠隔測定部はさらに１３．５６ＭＨｚの搬送信号内で符号化されたデータを送信するように構成されている請求項２８のシステム。
【請求項３２】
ＲＦデータ信号を受信するように構成されたＲＦ遠隔測定部と、前記ＲＦ遠隔測定部が受信した前記ＲＦデータ信号を処理する主処理部と、前記ＲＦ遠隔測定部が受信した前記ＲＦデータ信号を処理するインターロック処理部とを備え、前記ＲＦ遠隔測定部と前記２種の処理部の一方又は両方は単一マイクロチップに合体されている医療装置。
【請求項３３】
前記単一マイクロチップは専用集積回路である請求項３２の医療装置。
【請求項３４】
前記ＲＦ遠隔測定部は前記両処理部からシールドされたブースタ回路を有する請求項３２の医療装置。
【請求項３５】
前記ＲＦ遠隔測定部はさらに１３．５６ＭＨｚの搬送信号内で符号化されたデータを受信するように構成されている請求項３２の医療装置。
【請求項３６】
前記ＲＦ遠隔測定部はさらに１３．５６ＭＨｚの搬送信号内で符号化された信号を送信するように構成されている請求項３２の医療装置。
【請求項３７】
前記ＲＦデータ信号は非制限周波数帯域で発信される請求項３２の医療装置。
【請求項３８】
前記ＲＦデータ信号を受信するように前記単一マイクロチップの外部に設けられ且つ前記ＲＦ遠隔測定部に電気接続された、小型アンテナをさらに有する請求項３２の医療装置。
【請求項３９】
前記小型アンテナは渦巻き状アンテナである請求項３８の医療装置。
【請求項４０】
前記小型アンテナは螺旋状アンテナである請求項３８の医療装置。
【請求項４１】
前記小型アンテナは搬送信号の波長の所定割合の実効長を有する請求項３８の医療装置。
【請求項４２】
さらに前記ＲＦ遠隔部へ電力を供給する第１の電源及び前記医療装置の少なくとも１つの処理部に電力を供給する第２の電源を含んでいる請求項３２の医療装置。
【請求項４３】
前記ＲＦデータ信号は所定の確認シーケンスを含み、前記ＲＦ遠隔測定部はさらに前記ＲＦデータ信号が所定の確認シーケンスを含むかどうかを検査するように構成されている請求項３２の医療装置。
【請求項４４】
前記ＲＦ遠隔測定部はさらに、前記ＲＦデータ信号が所定の確認シーケンスを含むことを確認した場合に、前記ＲＦデータ信号を送信した装置に応答信号を送信するように構成されている請求項４３の医療装置。
【請求項４５】
前記医療装置の１以上の処理部に応答して前記ＲＦデータ信号にしたがって薬剤を供給する供給装置を有する請求項３２の医療装置。
【請求項４６】
前記薬剤はインシュリンである請求項４５の医療装置。
【請求項４７】
ＲＦデータ信号を受信するように構成されたＲＦ遠隔測定部と、前記ＲＦ遠隔測定部が受信した前記ＲＦデータ信号を処理するように構成された主処理部とを、単一マイクロチップに合体した医療装置。
【請求項４８】
前記単一マイクロチップは専用集積回路である請求項４７の医療装置。
【請求項４９】
前記ＲＦデータ信号を受信するように前記単一マイクロチップの外部に設けられ且つ前記ＲＦ遠隔測定部に電気接続された小型アンテナをさらに有する請求項４７の医療装置。
【請求項５０】
さらに前記ＲＦ遠隔測定部に電力を供給する第１電源、及び前記主処理部に電力を供給する第２電源を有する請求項４７の医療装置。
【請求項５１】
さらに前記単一マイクロチップの外部に配置され且つ前記ＲＦ遠隔測定部と前記主処理部とに電気接続されたインターロック処理部を含み、前記インターロック処理部は前記ＲＦ遠隔測定部が受信した前記ＲＦデータ信号を処理するように構成されている請求項５０の医療装置。
【請求項５２】
ＲＦデータ信号を受信するように構成されたＲＦ遠隔測定部と、前記ＲＦ遠隔測定部が受信した前記ＲＦデータ信号を処理するように構成されたインターロック処理部とを備え、前記ＲＦ遠隔測定部及び前記インターロック処理部が単一のマイクロチップに合体されている医療装置。
【請求項５３】
前記単一マイクロチップは専用集積回路である請求項５２の医療装置。
【請求項５４】
前記ＲＦデータ信号を受信するように前記単一マイクロチップの外部に設けられ且つ前記ＲＦ遠隔測定部に電気接続された小型アンテナをさらに有する請求項５２の医療装置。
【請求項５５】
さらに前記ＲＦ遠隔測定部に電力を供給する第１電源、及び前記インターロック処理部に電力を供給する第２電源を有する請求項５２の医療装置。
【請求項５６】
さらに前記単一マイクロチップの外部に配置され且つ前記ＲＦ遠隔測定部と前記インターロック処理部とに電気接続された主処理部を含み、前記主処理部は前記ＲＦ遠隔測定部が受信した前記ＲＦデータ信号を処理するように構成されている請求項５２の医療装置。
【請求項５７】
ＲＦデータ信号を受信するように構成されたＲＦ遠隔測定部と、前記ＲＦ遠隔測定部が受信した前記ＲＦデータ信号を処理するように構成された主処理部とを備え、前記ＲＦ遠隔測定部が受信した前記ＲＦデータ信号を処理するように構成されたインターロック処理部とを備え、前記ＲＦ遠隔測定部、前記主処理部及び前記インターロック処理部が単一のマイクロチップに合体されている医療装置。
【請求項５８】
前記単一マイクロチップは専用集積回路である請求項５７の医療装置。
【請求項５９】
前記ＲＦデータ信号を受信するように前記単一マイクロチップの外部に設けられ且つ前記ＲＦ遠隔測定部に電気接続された小型アンテナをさらに有する請求項５７の医療装置。
【請求項６０】
さらに前記ＲＦ遠隔測定部に電力を供給する第１電源、及び前記両処理部に電力を供給する１以上の他の電源を有する請求項５７の医療装置。
【請求項６１】
遠隔制御器と輸液ポンプとを含み、前記輸液ポンプは、前記流体を供給するための供給器と、前記遠隔制御器からのＲＦデータ信号を受信する遠隔測定部と、前記ＲＦ遠隔測定部が受信したＲＦデータ信号を処理して前記ＲＦ遠隔測定部から受信したＲＦデータ信号に従って前記供給器を制御する主処理部と、前記ＲＦ遠隔測定部が受信したＲＦデータ信号を処理して前記ＲＦ遠隔測定部から受信したＲＦデータ信号に従って前記供給器を制御するインターロック処理部とよりなり、前記ＲＦ遠隔測定部及び前記両処理部の少なくとも一方は単一マイクロチップに合体されている、流体を患者に供給するためのシステム。
【請求項６２】
前記単一マイクロチップは専用集積回路である請求項６１のシステム。
【請求項６３】
前記ＲＦデータ信号を受信するように前記単一マイクロチップの外部に設けられ且つ前記ＲＦ遠隔測定部に電気接続された小型アンテナをさらに有する請求項６１のシステム。
【請求項６４】
前記小型アンテナは渦巻き状アンテナである請求項６３のシステム。
【請求項６５】
前記小型アンテナは螺旋状アンテナである請求項６３のシステム。
【請求項６６】
ＲＦデータ信号を受信するように構成された独立に動作するＲＦ遠隔測定部と、前記ＲＦ遠隔測定部が受信した前記ＲＦデータ信号を処理する独立に動作する処理部とを具備した医療装置。
【請求項６７】
前記独立に動作する処理部は独立に動作する主処理ユニットと、独立に動作するインターロック処理ユニットとを含む請求項６６の医療装置。
【請求項６８】
前記独立に動作するＲＦ遠隔測定部は、前記独立に動作する処理部からシールドされたブースタ回路を有する請求項６６の医療装置。
【請求項６９】
前記ＲＦデータ信号が非制限周波数帯域で発信される請求項６６の医療装置。
【請求項７０】
前記独立に動作するＲＦ遠隔測定部と、前記独立に動作する処理部の少なくとも一部とは単一のマイクロチップに合体されている請求項６６の医療装置。
【請求項７１】
単一のマイクロチップは専用集積回路である請求項７０の医療装置。
【請求項７２】
前記ＲＦデータ信号を受信するように前記単一マイクロチップの外部に設けられ且つ前記独立に動作するＲＦ遠隔測定部に電気接続された、小型アンテナをさらに有する請求項７０の医療装置。
【請求項７３】
前記小型アンテナは渦巻き状アンテナである請求項７２の医療装置。
【請求項７４】
前記小型アンテナは螺旋状アンテナである請求項７２の医療装置。
【請求項７５】
前記小型アンテナは搬送信号の波長の所定割合の実効長を有する請求項７２の医療装置。
【請求項７６】
前記搬送信号は１３．５６ＭＨｚの搬送信号であり、前記独立に動作するＲＦ遠隔測定部はさらに１３．５６ＭＨｚの搬送信号内で符号化されたデータを受信するように構成されている請求項７５の医療装置。
【請求項７７】
前記独立に動作するＦＲ遠隔測定部はさらに１３．５６ＭＨｚの搬送信号内で符号化されたデータを送信するように構成されている請求項７６の医療装置。
【請求項７８】
前記ＲＦデータ信号は所定の確認シーケンスを含み、前記独立に動作するＲＦ遠隔測定部はさらに前記ＲＦデータ信号を検査してそれが所定の確認シーケンスを含むかどうかを確認するように構成されている請求項６６の医療装置。
【請求項７９】
前記独立に動作するＲＦ遠隔測定部は、さらに前記ＲＦデータ信号が所定の確認シーケンスを含むことを確認したときに、前記ＲＦデータ信号を送信した装置に応答信号を送信するように構成されている請求項７８の医療装置。
【請求項８０】
さらに前記医療装置の処理部に応答して前記ＲＦデータ信号にしたがって薬剤を供給する供給装置を有する請求項６６の医療装置。
【請求項８１】
前記薬剤はインシュリンである請求項８０の医療装置。
【請求項８２】
ＲＦデータ信号を受信するように構成された独立に動作するＲＦ遠隔測定部と、前記独立に動作するＲＦ遠隔測定部が受信した前記ＲＦデータ信号を処理するように構成された独立に動作する主処理部とを含んでいる医療装置。
【請求項８３】
前記独立に動作するＲＦ遠隔測定部及び前記独立に動作する主処理部は単一のマイクロチップに合体されている請求項８２の医療装置。
【請求項８４】
前記単一マイクロチップは専用集積回路である請求項８３の医療装置。
【請求項８５】
さらに前記ＲＦ遠隔測定部に電力を供給する第１電源、及び前記主処理部に電力を供給する第２電源を有する請求項８３の医療装置。
【請求項８６】
さらに前記独立に動作するＲＦ遠隔測定部に電気接続され且つ前記ＲＦデータ信号を受信するように小型アンテナを有する請求項８２の医療装置。
【請求項８７】
独立に動作するＲＦ遠隔測定部と、前記独立に動作するＲＦ遠隔測定部が受信した前記ＲＦデータ信号を処理するように構成された独立に動作するインターロック処理部とを有する医療装置。
【請求項８８】
前記独立に動作するＲＦ遠隔測定部と、前記独立に動作するインターロック処理部は単一のマイクロチップに合体されている請求項８７の医療装置。
【請求項８９】
前記単一のマイクロチップは専用集積回路である請求項８８の医療装置。
【請求項９０】
さらに前記ＲＦ遠隔測定部に電力を供給する第１電源、及び前記インターロック処理部に電力を供給する第２電源を有する請求項８８の医療装置。
【請求項９１】
さらに前記独立に動作するＲＦ遠隔測定部に電気接続され且つ前記ＲＦ信号を受信するように構成された小型アンテナをさらに有する請求項８７の医療装置。
【請求項９２】
ＲＦデータ信号を受信するように構成された独立に動作するＲＦ遠隔測定部と、前記独立に動作するＲＦ遠隔測定部が受信した前記ＲＦデータ信号を処理する独立に動作する主処理部と、前記独立に動作するＲＦ遠隔測定部が受信した前記ＲＦデータ信号を処理する独立に動作するインターロック処理部とを備えている医療装置。
【請求項９３】
前記独立に動作するＲＦ遠隔測定部と、前記独立に動作する前記主処理部と、前記独立に動作するインターロック処理部は単一マイクロチップに合体されている請求項９２の医療装置。
【請求項９４】
前記単一マイクロチップは専用集積回路である請求項９３の医療装置。
【請求項９５】
さらに前記ＲＦ遠隔測定部に電力を供給する第１電源、及び前記両処理部に電力を供給する１以上の他の電源を有する請求項９３の医療装置。
【請求項９６】
さらに前記独立に動作するＲＦ遠隔測定部に電気接続され且つ前記ＲＦデータ信号を受信するように構成された小型アンテナを有する請求項９２の医療装置。
【請求項９７】
遠隔制御器と輸液ポンプとを含み、前記輸液ポンプは、前記流体を供給するための供給器と、前記遠隔制御器からのＲＦデータ信号を受信する独立に動作する遠隔測定部と、前記独立に動作するＲＦ遠隔測定部が受信したＲＦデータ信号を処理して前記独立に動作するＲＦ遠隔測定部から受信したＲＦデータ信号に従って前記供給器を制御する独立に動作する処理部とから構成されている、流体を患者に供給するためのシステム。
【請求項９８】
前記独立に動作する処理部は、独立に動作する主処理ユニットと、独立に動作するインターロック処理ユニットを含んでいる請求項９７のシステム。
【請求項９９】
ＲＦデータ信号を受信するように構成されたＲＦ遠隔測定部と、前記ＲＦ遠隔測定部が受信した前記ＲＦデータ信号を処理するように構成された処理部と、前記処理部に応答して前記ＲＦデータ信号に従って薬剤を供給する供給装置とを含み、前記供給装置は、前記供給装置に設けた流体貯器に所定量の薬剤が充填されている場合に前記処理部に初期化信号を与える充填センサを有している医療装置。
【請求項１００】
前記薬剤の所定量は前記流体貯器の体積の約半分である請求項９９の医療装置。
【請求項１０１】
薬剤はインシュリンである請求項９９の医療装置。
【請求項１０２】
前記充填センサは流体が所定量以上の薬剤で満たされたときに閉鎖する常時開放機械スイッチである請求項９９の医療装置。
【請求項１０３】
前記処理部により初期化信号が受信されると、前記ＲＦ遠隔測定部は定期的に所定のＲＦ周波数をポーリングして前記ＲＦデータ信号が受信できるかどうかを決定するように構成されている請求項９９の医療装置。
【請求項１０４】
前記所定のＲＦ周波数は１３．４０−１３．７０ＭＨｚの周波数帯域内にある請求項１０３の医療装置。
【請求項１０５】
前記ＲＦ遠隔測定部はさらに１３．５６ＭＨｚの搬送信号内で符号化されているデータを受信するように構成されている請求項９９の医療装置。
【請求項１０６】
前記ＲＦ遠隔測定部はさらに１３．５６ＭＨｚの搬送信号内で符号化されているデータを送信するように構成されている請求項９９の医療装置。
【請求項１０７】
前記ＲＦ遠隔測定部は小型アンテナを含む請求項９９の医療装置。
【請求項１０８】
前記小型アンテナは渦巻き状である請求項１０７の医療装置。
【請求項１０９】
前記小型アンテナは螺旋状である請求項１０７の医療装置。
【請求項１１０】
前記小型アンテナの実効長さは搬送信号の波長の所定割合である請求項１０７の医療装置。
【請求項１１１】
前記処理部は主処理ユニットとインターロック処理ユニットを含む請求項９９の医療装置。
【請求項１１２】
前記ＲＦデータ信号は所定の確認シーケンスを含み、前記ＲＦ遠隔測定部はさらに前記ＲＦデータ信号を検査して該ＲＦデータ信号が前記所定の確認シーケンスを含むかどうかを確認するように構成されている請求項９９の医療装置。
【請求項１１３】
前記ＲＦ遠隔測定部はさらに、前記ＲＦデータ信号が所定の確認シーケンスを含むことを確認した場合に、前記ＲＦデータ信号を送信した装置に応答信号を送信するように構成されている請求項１１２の医療装置。
【請求項１１４】
前記ＦＲ遠隔測定部及び少なくとも前記処理部の第１部分が単一マイクロチップに合体されている請求項９９の医療装置。
【請求項１１５】
前記単一マイクロチップは専用集積回路である請求項１１４の医療装置。
【請求項１１６】
処理部と供給装置を有する医療装置を低電力スリープモードにし、前記供給装置を少なくとも所定量の薬剤で満たし、前記処理部に初期化信号を供給するようことにより、棚寿命を延ばす方法。
【請求項１１７】
さらに前記医療装置はＲＦ遠隔測定部を含み、該ＲＦ遠隔測定部を介して定期的に所定のＲＦ周波数をポーリングしてＲＦデータ信号が受信できるかどうかを決定する請求項１１６の方法。
【請求項１１８】
前記所定のＲＦ周波数はＲＦ周波数は１３．４０−１３．７０ＭＨｚの周波数帯域内にある請求項１１７の方法。
【請求項１１９】
前記ＲＦデータ信号は受信が可能であり、前記ＲＦデータ信号は所定の確認シーケンスを含んでおり、前記方法はさらに所定の確認シーケンスを含んでいることを確認するために前記ＲＦデータ信号を検査することを含む請求項１１７の方法。
【請求項１２０】
さらに、前記ＲＦデータ信号が前記所定の確認シーケンスを含んでいることを確認した場合に前記ＲＦ信号を送信する装置に応答信号を送信する請求項１１９の方法。
【請求項１２１】
遠隔制御器と輸液ポンプを含み、前記輸液ポンプは、前記遠隔制御器からＲＦデータ信号を受信するように構成されたＲＦ遠隔測定部と、前記ＲＦ遠隔測定部から受信した前記ＲＦデータ信号を処理するように構成された処理部と、前記処理部に応答して薬剤を前記ＲＦデータ信号に従って供給する供給装置とを有し、前記供給装置は、前記供給装置が少なくとも所定量の薬剤で満たされた場合に前記処理部に初期化信号を供給する充填センサを有する、患者に薬液を供給するシステム。
【請求項１２２】
前記所定量の薬剤は５０単位である請求項１２１のシステム。
【請求項１２３】
前記薬剤はインシュリンである請求項１２１のシステム。
【請求項１２４】
前記供給装置は流体貯器を有し、前記充填センサは、前記貯器が少なくとも所定量の薬剤で満たされたときに閉じる常時開放スイッチである請求項１２１のシステム。
【発明の詳細な説明】
【技術分野】
【０００１】
本発明は医療装置及びシステムに関し、特にＲＦ通信が可能な医療装置及びシステムに関する。
【背景技術】
【０００２】
歩行輸液装置及びポンプは液状薬剤を患者に供給するために開発されている。代表的には輸液装置は複雑な流体供給曲線（例えばボーラス投与、連続基礎投与、可変流体投与率等）を提供することができ、また糖尿病の処置のようにインシュリンを自動投与する場合も多い。
【発明の開示】
【発明が解決しようとする課題】
【０００３】
現在市販されている代表的な歩行輸液装置は大型であり、重く、高価で、壊れやすい。さらにこれらの装置は輸液のためにプログラムしたり準備するのが困難である。さらにこれらの装置に薬剤を充填することが困難であり、しばしば使用者が薬剤と充填用備品を携帯しなければならない。
【０００４】
これらの装置は特別な保守と清浄化を行って適正な機能と安全を確保し、意図した長期使用をはからなければならない。残念ながらこれらの装置は高価になりがちであり、ヘルスケアの提供者がこれらの装置が利用できる患者の数を制限している。
【課題を解決するための手段】
【０００５】
一形態によると本発明の医療装置は、非制限帯域において発信されるＲＦデータ信号を受信するように構成されたＲＦ遠隔測定部を具備し、またＲＦ遠隔測定部が受信したＲＦデータ信号を処理する処理するように構成された処理部を有する。
【０００６】
本発明は更に次の１つ以上の特徴を含むことができる。前記処理部は主処理ユニットとインターロック処理ユニットを有する。非制限周波数帯は１３．４０−１３．７０ＭＨｚでありうる。ＲＦ遠隔測定部はさらに１３．５６ＭＨｚの搬送信号内で符号化されたデータを受信し又送信するように構成できる。
【０００７】
ＲＦ遠隔測定部は小型アンテナ、例えば渦巻き状又は螺旋状アンテナを有することができる。この小型アンテナの実効長は搬送信号の波長の所定割合である。
【０００８】
ＲＦデータ信号は所定の確認シーケンスを含むことができ、ＲＦ遠隔測定部はさらに前記ＲＦデータ信号を検査することにより該ＲＦデータ信号が所定の確認シーケンスを含むか否かを確認するように構成できる。ＲＦ遠隔測定部はさらに、ＲＦデータ信号が所定の確認シーケンスを含んでいる場合には、当該ＲＦデータ信号を送信する装置に対して応答信号を送信するように構成できる。
【０００９】
ＲＦ遠隔測定部と前記処理部の少なくとも一部は例えばアプリケーションに特化した（つまり専用の）集積回路のような単一のマイクロチップに合体することができる。
【００１０】
さらに医療装置の処理部に応答してＲＦ信号に従ってインシュリン等の医薬の供給を行う供給装置を備えることができる。
【００１１】
本発明の他の形態では、非制限周波数帯域で発信されるＲＦデータ信号を受信し、受信したそのＲＦデータ信号を処理することを含む医療装置との通信方法が提供される。
【００１２】
次の１つ以上の特徴を含むことも可能である。前記非制限周波数帯域は１３．４０−１３．７０ＭＨｚである。ＲＦデータ信号の受信は１３．５６ＭＨｚの搬送信号内で符号化されたデータの受信でありうる。１３．５６ＭＨｚの搬送信号内で符号化されたデータは送信することができる。
【００１３】
前記ＲＦデータ信号は所定の確認シーケンスを含み、前記ＲＦデータ信号は所定の確認シーケンスを含むか否かを確認するために検査できる。前記ＲＦデータ信号が所定の確認シーケンスを含むことが決定された場合には、前記ＲＦデータ信号を送信した装置に応答信号が送信できる。
【００１４】
本発明の他の形態によると、遠隔制御器と輸液ポンプとを含み、前記輸液ポンプは、前記液体を供給するための供給器と、非制限周波数帯域で発信される前記遠隔制御器からのＲＦデータ信号を受信する遠隔測定部と、前記ＲＦ遠隔測定部が受信したＲＦデータ信号を処理して前記ＲＦ遠隔測定部から受信したＲＦデータ信号に従って前記供給器を制御する処理部よりなる、流体を患者に供給するためのシステムが提供される。    
【００１５】
このシステムは次の１つ以上の特徴をさらに含むことができる。前記非制限周波数帯は１３．４０−１３．７０ＭＨｚでありうる。前記ＦＲ遠隔測定部はさらに１３．５６ＭＨｚの搬送信号内で符号化された信号を受信し及び／又は送信するように構成できる。
【００１６】
本発明の他の形態によると、ＲＦデータ信号を受信するように構成されたＲＦ遠隔測定部と、前記ＲＦ遠隔測定部が受信した前記ＲＦデータ信号を処理する主処理部と、前記ＲＦ遠隔測定部が受信した前記ＲＦデータ信号を処理するインターロック処理部とを備えた医療装置が提供される。ＲＦ遠隔測定部と前記２種の処理部の一方又は両方は単一マイクロチップに合体できる。
【００１７】
この医療装置には次の１つ以上の特徴を含むことができる。前記単一マイクロチップは専用集積回路でありうる。前記ＲＦ遠隔測定部は前記両処理部からシールドされたブースト回路を有することができる。
【００１８】
前記ＲＦ遠隔測定部は１３．５６ＭＨｚの搬送信号内で符号化されたデータを受信及び／又は送信するように構成されうる。前記ＲＦデータ信号は非制限周波数帯域で発信できる。前記ＲＦデータ信号を受信するように前記単一マイクロチップの外部には小型アンテナを設け前記ＲＦ遠隔測定部に電気接続することができる。小型アンテナは渦巻き状又は螺旋状をなすことができる。小型アンテナは搬送信号の波長の所定割合の実効長を有することができる。医療装置はさらに前記ＲＦ遠隔測定部に電力を供給する第１電源、及び前記主処理部に電力を供給する第２電源を有することができる。
【００１９】
前記ＲＦデータ信号は所定の確認シーケンスを含み、前記ＲＦ遠隔測定部はさらに前記ＲＦデータ信号が所定の確認シーケンスを含むかどうかを検査するように構成されている。前記ＲＦ遠隔測定部はさらに、前記ＲＦデータ信号が所定の確認シーケンスを含むことを確認した場合に、前記ＲＦデータ信号を送信した装置に応答信号を送信するように構成されている。
【００２０】
供給装置がもうけられ、前記の１以上の処理部に応答して前記ＲＦデータ信号にしたがって薬剤（インシュリン等）を患者に供給することができる。  
【００２１】
本発明の他の形態では、ＲＦデータ信号を受信するように構成されたＲＦ遠隔測定部と、前記ＲＦ遠隔測定部が受信した前記ＲＦデータ信号を処理するように構成された主処理部とを有する医療装置が提供され、これらのＲＦ遠隔測定部と主処理部は単一マイクロチップに合体させることができる。
【００２２】
前記医療装置には次の１つ以上の特徴を含むことができる。前記単一マイクロチップは専用集積回路にすることができる。前記ＲＦデータ信号を受信するように前記単一マイクロチップの外部に設けられ且つ前記ＲＦ遠隔測定部に電気接続された小型アンテナを設けることができる。前記ＲＦ遠隔測定部に電力を供給する第１電源、及び前記主処理部に電力を供給する第２電源を有することができる。さらに医療装置は前記単一マイクロチップの外部に配置され且つ前記ＲＦ遠隔測定部と前記主処理部とに電気接続されたインターロック処理部を含み、前記インターロック処理部は前記ＲＦ遠隔測定部が受信した前記ＲＦデータ信号を処理するように構成されることができる。
【００２３】
本発明の他の形態によると、医療装置は、ＲＦデータ信号を受信するように構成されたＲＦ遠隔測定部と、前記ＲＦ遠隔測定部が受信した前記ＲＦデータ信号を処理するように構成されたインターロック処理部とを備え、前記ＲＦ遠隔測定部及び前記インターロック処理部が単一のマイクロチップに合体されている。
【００２４】
前記医療装置には次の特徴の１つ以上を含むことができる。前記単一マイクロチップは専用集積回路である。前記ＲＦデータ信号を受信するように前記単一マイクロチップの外部に設けられ且つ前記ＲＦ遠隔測定部に電気接続された小型アンテナを有する。前記ＲＦ遠隔測定部に電力を供給する第１電源、及び前記インターロック処理部に電力を供給する第２電源を有する。  
さらに前記医療装置は、前記単一マイクロチップの外部に配置され且つ前記ＲＦ遠隔測定部と前記インターロック処理部とに電気接続された主処理部を含み、前記主処理部は前記ＲＦ遠隔測定部が受信した前記ＲＦデータ信号を処理するように構成されることができる。
【００２５】
本発明の他の形態によると、医療装置は、ＲＦデータ信号を受信するように構成されたＲＦ遠隔測定部と、前記ＲＦ遠隔測定部が受信した前記ＲＦデータ信号を処理するように構成された主処理部とを備え、また前記ＲＦ遠隔測定部が受信した前記ＲＦデータ信号を処理するように構成されたインターロック処理部とを備え、前記ＲＦ遠隔測定部、前記主処理部及び前記インターロック処理部が単一のマイクロチップに合体されている。  
【００２６】
この医療装置は次の１つ以上の特徴を含むことができる。前記単一マイクロチップは専用集積回路である。前記ＲＦデータ信号を受信するように前記単一マイクロチップの外部に設けられ且つ前記ＲＦ遠隔測定部に電気接続された小型アンテナをさらに有する。前記ＲＦ遠隔測定部に電力を供給する第１電源、及び前記両処理部に電力を供給する１以上の他の電源を有する。
【００２７】
本発明の他の形態によると、遠隔制御器と輸液ポンプとを含み、前記輸液ポンプは、前記流体を供給するための供給器と、前記遠隔制御器からのＲＦデータ信号を受信する遠隔測定部と、前記ＲＦ遠隔測定部が受信したＲＦデータ信号を処理して前記ＲＦ遠隔測定部から受信したＲＦデータ信号に従って前記供給器を制御する主処理部と、前記ＲＦ遠隔測定部が受信したＲＦデータ信号を処理して前記ＲＦ遠隔測定部から受信したＲＦデータ信号に従って前記供給器を制御するインターロック処理部とよりなり、前記ＲＦ遠隔測定部及び前記両処理部の少なくとも一方は単一マイクロチップに合体されている、流体を患者に供給するためのシステムが提供される。
【００２８】
このシステムは次の特徴を一つ以上を含むことができる。前記単一マイクロチップは専用集積回路である。前記ＲＦデータ信号を受信するように前記単一マイクロチップの外部に設けられ且つ前記ＲＦ遠隔測定部に電気接続された小型アンテナ（例えば渦巻き状又は螺旋状に巻かれたもの）を有する。
【００２９】
本発明の他の形態によると、ＲＦデータ信号を受信するように構成された独立に動作するＲＦ遠隔測定部と、前記独立に動作するＲＦ遠隔測定部が受信した前記ＲＦデータ信号を処理する独立に動作する処理部とを具備した医療装置が提供される。
【００３０】
さらに下記の特徴の１つ以上を含むことができる。前記独立に動作する処理部は独立に動作する主処理ユニットと、独立に動作するインターロック処理ユニットとを含む。前記独立に動作するＲＦ遠隔測定部は、前記独立に動作する処理部からシールドされたブースタ回路を有する。
【００３１】
前記ＲＦデータ信号が非制限周波数帯域で発信される。前記独立に動作するＲＦ遠隔測定部と、前記独立に動作する処理部の少なくとも一部とは単一のマイクロチップ（例えば専用の集積回路）に合体されている。
【００３２】
前記ＲＦデータ信号を受信するように前記単一マイクロチップの外部に設けられ且つ前記独立に動作するＲＦ遠隔測定部に電気接続された、小型アンテナをさらに有する。前記小型アンテナは渦巻き状または螺旋状アンテナである。前記小型アンテナは搬送信号の波長の所定割合の実効長を有する。
【００３３】
前記搬送信号は１３．５６ＭＨｚの搬送信号であり、前記独立に動作するＲＦ遠隔測定部はさらに１３．５６ＭＨｚの搬送信号内で符号化されたデータを受信するように構成されている。前記独立に動作するＦＲ遠隔測定部はさらに１３．５６ＭＨｚの搬送信号内で符号化されたデータを送信するように構成されている。
【００３４】
前記ＲＦデータ信号は所定の確認シーケンスを含み、前記独立に動作するＲＦ遠隔測定部はさらに前記ＲＦデータ信号を検査してそれが所定の確認シーケンスを含むかどうかを確認するように構成されている。前記独立に動作するＲＦ遠隔測定部は、さらに前記ＲＦデータ信号が所定の確認シーケンスを含むことを確認したときに、前記ＲＦデータ信号を送信した装置に応答信号を送信するように構成されている。  
【００３５】
さらに前記医療装置の処理部に応答して前記ＲＦデータ信号にしたがって薬剤（例えばインシュリン）を供給する供給装置を有する。
【００３６】
本発明の他の形態によると、ＲＦデータ信号を受信するように構成された独立に動作するＲＦ遠隔測定部と、前記独立に動作するＲＦ遠隔測定部が受信した前記ＲＦデータ信号を処理するように構成された独立に動作する主処理部とを含んでいる医療装置が提供される。
【００３７】
この医療装置は次の１つ以上の特徴を有しうる。
前記独立に動作するＲＦ遠隔測定部及び前記独立に動作する主処理部は単一のマイクロチップ（例えば専用の集積回路）に合体されている。
【００３８】
さらに前記ＲＦ遠隔測定部に電力を供給する第１電源、及び前記主処理部に電力を供給する第２電源を有する。さらに前記独立に動作するＲＦ遠隔測定部に電気接続され且つ前記ＲＦデータ信号を受信するように小型アンテナを有する。
【００３９】
本発明のさらに他の形態によると、前記医療装置はＲＦデータ信号を受信するように構成された独立に動作するＲＦ遠隔測定部と、前記独立に動作するＲＦ遠隔測定部が受信した前記ＲＦデータ信号を処理する独立に動作するインターロック処理部とを備えている。
【００４０】
前記医療装置は１つ以上の次の特徴を有しうる。前記独立に動作するＲＦ遠隔測定部と、前記独立に動作するインターロック処理部は単一マイクロチップ（例えば専用の集積回路）に合体されている。さらに前記ＲＦ遠隔測定部に電力を供給する第１電源、及び前記処理部に電力を供給する第２電源を有する。前記独立に動作するＲＦ遠隔測定部に電気接続され且つ前記ＲＦデータ信号を受信するように構成された小型アンテナを有する。
【００４１】
本発明の他の形態によると、ＲＦデータ信号を受信するように構成された独立に動作するＲＦ遠隔測定部と、前記独立に動作するＲＦ遠隔測定部が受信した前記ＲＦデータ信号を処理する独立に動作する主処理部と、前記独立に動作するＲＦ遠隔測定部が受信した前記ＲＦデータ信号を処理する独立に動作するインターロック処理部とを備えている医療装置が提供される。
【００４２】
前記医療装置は次の特徴の１つ以上を含むことができる。
前記独立に動作するＲＦ遠隔測定部と、前記独立に動作する前記主処理部と、前記独立に動作するインターロック処理部は単一マイクロチップ（例えば専用の集積回路）に合体されている。
【００４３】
医療装置は前記ＲＦ遠隔測定部に電力を供給する第１電源、及び前記両処理部に電力を供給する１以上の他の電源を有する。医療装置はさらに前記独立に動作するＲＦ遠隔測定部に電気接続され且つ前記ＲＦデータ信号を受信するように構成された小型アンテナを有する。
【００４４】
本発明の他の形態によると、遠隔制御器と輸液ポンプとを含み、前記輸液ポンプは、前記流体を供給するための供給器と、前記遠隔制御器からのＲＦデータ信号を受信する独立に動作する遠隔測定部と、前記独立に動作するＲＦ遠隔測定部が受信したＲＦデータ信号を処理して前記独立に動作するＲＦ遠隔測定部から受信したＲＦデータ信号に従って前記供給器を制御する独立に動作する処理部とから構成されている、流体を患者に供給するためのシステムを提供する。
【００４５】
前記システムは次の特徴の１つ以上を有しうる。前記独立に動作する処理部は、独立に動作する主処理ユニットと、独立に動作するインターロック処理ユニットを含んでいる。
【００４６】
本発明の他の形態によると、ＲＦデータ信号を受信するように構成されたＲＦ遠隔測定部と、前記ＲＦ遠隔測定部が受信した前記ＲＦデータ信号を処理するように構成された処理部と、前記処理部に応答して前記ＲＦデータ信号に従って薬剤を供給する供給装置とを含み、前記供給装置は、前記供給装置に設けた流体貯器に所定量以上の薬剤が充填されている場合に前記処理部に初期化信号を与える充填センサを有している医療装置が提供される。
【００４７】
前記医療装置は次の特徴の１つ以上を有しうる。前記薬剤（例えばインシュリン）の所定量は前記流体貯器の体積の約半分である。充填センサは流体が所定量以上の薬剤で満たされたときに閉鎖する常時開放機械スイッチである。
【００４８】
前記処理部による初期化信号を受信すると、前記ＲＦ遠隔測定部は定期的に所定のＲＦ周波数をポーリングして該ＲＦデータ信号が受信できるかどうかを決定するように構成されている。前記所定のＲＦ周波数は１３．４０−１３．７０ＭＨｚの周波数帯域内にある。前記ＲＦ遠隔測定部はさらに１３．５６ＭＨｚの搬送信号内で符号化されているデータを受信及び／又は送信するように構成されている。
【００４９】
前記ＲＦ遠隔測定部は小型アンテナ（例えば渦巻き状又は螺旋状に巻かれたもの）を含みうる。前記小型アンテナの実効長さは搬送信号の波長の所定割合を有しうる。
【００５０】
前記処理部は主処理ユニットとインターロック処理ユニットを含む。前記ＲＦデータ信号は所定の確認シーケンスを含み、前記ＲＦ遠隔測定部はさらに前記ＲＦデータ信号を検査して該ＲＦデータ信号が前記所定の確認シーケンスを含むかどうかを確認するように構成されることができる。前記ＲＦ遠隔測定部はさらに、前記ＲＦデータ信号が所定の確認シーケンスを含むことを確認した場合に、前記ＲＦデータ信号を送信した装置に応答信号を送信するように構成されうる。前記ＦＲ遠隔測定部及び少なくとも前記処理部の第１部分が単一マイクロチップ（たとえば専用集積回路）に合体されている。
【００５１】
本発明の他の形態によれば、処理部と供給装置を有する医療装置を低電力スリープモードにし、前記供給装置が少なくとも所定量の薬剤で満たされたとき前記処理部に初期化信号を供給するようことにより、棚寿命を延ばす方法が提供される。
【００５２】
前記方法はさらに次の特徴を１つ以上を含みうる。
前記医療装置はＲＦ遠隔測定部を含み、該ＲＦ遠隔測定部を介して定期的に所定のＲＦ周波数をポーリングしてＲＦデータ信号が受信できるかどうかを決定する。前記所定のＲＦ周波数はＲＦ周波数は１３．４０−１３．７０ＭＨｚの周波数帯域内にある。
【００５３】
もしも前記ＲＦデータ信号は受信が可能なら、前記ＲＦデータ信号が所定の確認シーケンスを含んでいることを確認するために前記ＲＦデータ信号を検査することを含む。さらに、前記ＲＦデータ信号が前記所定の確認シーケンスを含んでいることを確認した場合に前記ＲＦデータ信号を送信する装置に応答信号を送信する。
【００５４】
本発明の他の形態によれば、遠隔制御器と輸液ポンプを含み、前記輸液ポンプは、前記遠隔制御器からＲＦデータ信号を受信するように構成されたＲＦ遠隔測定部と、前記ＲＦ遠隔測定部から受信した前記ＲＦデータ信号を処理するように構成された処理部と、前記処理部に応答して薬剤を前記ＲＦデータ信号に従って供給する供給装置とを有し、前記供給装置は、前記供給装置が少なくとも所定量の薬剤で満たされた場合に前記処理部に初期化信号を供給する充填センサを有する、患者に薬液を供給するシステムが提供される。  
【００５５】
前記システムには次の特徴の１つ以上を含みうる。前記所定量の薬剤（例えばインシュリン）は５０単位である。前記供給装置は流体貯器を有し、前記充填センサは、前記貯器が少なくとも所定量の薬剤で満たされたときに閉じる常時開放スイッチである。  
【００５６】
前記方法はまたプロセッサにより命令シーケンスとして実行することが可能である。
【００５７】
本発明の実施例の詳細を添付図面と関連して以下に詳しく説明する。他の特徴及び利益は本書の記載、図面及び特許請求の範囲から明らかとなろう。
【発明を実施するための最良の形態】
【００５８】
図１−４を参照するに、本発明の遠隔制御式の使い捨て可能な輸液ポンプ１０は、典型的には遠隔制御器１００（図１，図５）と共に使用される。類似の輸液ポンプは例えば２００１年８月３１出願の米国特許出願第０９／９４３９９２号に記載されている。輸液ポンプ１０は以下に図６に関連して詳しく説明する新規で改良されたＲＦ遠隔測定処理ユニットとローカルプロセッサとを具備している。
【００５９】
本明細書では新規で改良されたＲＦ遠隔測定処理ユニット及びローカルプロセッサは輸液ポンプ１０と遠隔制御器１００に関連して説明するが、本発明は任意の形態のプログラム可能な輸液ポンプに適用できることを理解されたい。例えば本発明の新規で改良されたＲＦ遠隔測定処理ユニット及びローカルプロセッサは現在多くの製造業者から販売されているプロフラム可能な携帯インシュリン輸液ポンプに使用することができる。例えば限定ではないがMedtronic Minimed社からは商品名PARADIGMで、Animas Corporation社からは商品名IR 1000及びIR 1200で、Smiths Medical社からは商品名Deltec COZMO、DANA Diabecare USAで、その他の会社から市販されている。
【００６０】
輸液ポンプ１０は薬剤を人又は動物に投与するのに使用される。輸液ポンプ１０を使用して投与できる薬剤の種類は限定するものではないが、インシュリン、抗生物質、栄養液、全非経口栄養剤（ＴＰＮ）、鎮痛剤、モルヒネ、ホルモン剤、遺伝子治療剤、凝集防止剤、心臓血管剤、ＡＺＴ、化学療法剤等である。輸液ポンプ１０が使用できる処置対象は、限定ではないが、糖尿病、心臓血管疾患、急性及び慢性痛、がん、エイズ、神経疾患、アルツハイマー病、ＡＬＳ、肝炎、パーキンソン病、痙攣等である。
【００６１】
輸液ポンプ１０は典型的には使い捨て可能で、患者の皮膚に固定してインシュリンのような薬剤を患者に規則的に輸液できる。輸液ポンプ１０は約７２時間のような寿命を持ち、その後に患者から外して廃棄できる。
【００６２】
図４を参照するに、輸液ポンプ１０は代表的には薬剤を流体貯器１４から流路組立体１６を流し、次いで経皮投与具（針など）１８を介して患者に注入する供給器組立体１２を含む。貯器１４の容量は、輸送すべき薬剤が有する濃度、輸液ポンプ１０の貯器の再充填や廃棄の間の許容される時間、寸法等の制約などの因子に依存して、輸液ポンプ１０の治療目的に最も適した大きさに選択される。
【００６３】
ローカルプロセッサ２０（例えば１以上のプロセッサ又は電子的マイクロ制御器）は供給器組立体１２に接続されていて、別個の遠隔制御器１００（図５参照）からの流れ命令に基づいて経皮投与具１８への薬剤の流れを制御する。ローカルプロセッサ２０に接続されたＲＦ遠隔測定処理ユニット２２が遠隔制御器１００からの流れ命令を受信し、それらをローカルプロセッサ２０に送る。
【００６４】
輸液ポンプ１０は代表的には電源（図示しない電池又はコンデンサ等）は電力をローカルプロセッサ２０に供給する。この電源は使い捨て（回路板に半田着けしたリチウムイオン電池等）や充電式（ＡＡＡ電池など）であるうる。
【００６５】
図４に示したように、輸液ポンプ１０はさらに輸液ポンプ１０の状態に関連した情報をローカルプロセッサ２０に送る各種のセンサや変換器、例えば流動状態センサ組立体（図示せず）や充填センサ２４（以下で詳細に説明する）などを含んでいる。
【００６６】
輸液ポンプ１０はハウジング２６を含み、ハウジングは供給器組立体１２、貯器１４，流路組立体１６、経皮投与具１８、ローカルプロセッサ２０、及びＲＦ遠隔測定処理ユニット２２を収納して保護する。輸液ポンプ１０は輸液ポンプ１０を患者の皮膚に仮止めするためにハウジング２６の底面３０に接着層２８（図３）を有することができる。
【００６７】
上に述べたように、輸液ポンプ１０は遠隔制御器１００を介してローカルプロセッサ２０のプログラミングを容易にするＲＦ遠隔測定処理ユニット２２を備えている。命令は遠隔制御器１００に組み込んだ通信回路（図示せず）を介して輸液ポンプ１０と遠隔制御器１００との間で伝送される。
【００６８】
ハウジング２６の表面は、一般に使用者がローカルプロセッサ２０をプログラムできるような使用者入力部品（ボタン、インターフェース、電気機械スイッチ等）が存在せず、輸液ポンプ１０の寸法と複雑さを減じている。別法として、輸液ポンプ１０は遠隔制御器１００の一部又は全部の特徴を有する集積した使用者インターフェースを具備することにより使用者が直接輸液ポンプ１０に命令を入力することができるようにしても良い。
【００６９】
遠隔制御器１００は典型的には、使用者が情報を提供することができるようにする使用者入力部品、使用者が情報を受け取ることができるようにする使用者出力部品、使用者入力及び出力部品に接続されていて輸液ポンプ１０に命令を与えるように構成されているプロセッサ（以下「遠隔プロセッサ」と称する）、及び遠隔プロセッサに命令を与える１以上のコンピュータプログラムを含んでいる。
【００７０】
コンピュータプログラムは遠隔プロセッサに使用者入力部品を介して使用者から情報を受信するように指示し、そして出力部品を介してユーザに情報を与えるように指示し、そして命令を輸液ポンプ１０に供給する。
【００７１】
図５に示したように、使用者入力部品は３つのソフトキー選択スイッチ１０２、１０４、１０６のような電気機械スイッチ、アップダウンナビゲーショントグルスイッチ１０８、「ユーザ情報表示」スイッチ１１０、電源オン・オフスイッチ１１２、「ポンプ状態チェック」スイッチ１１４、及び「即時ボーラス」スイッチ１１６を有する。使用者出力部品は、仮想ディスプレー（例えばＬＣＤスクリーン１１８）、発音器（例えばブザー、図示せず）、及び／又は振動要素（図示せず）を含むことができる。
【００７２】
ソフトキー選択スイッチ１０２、１０４、１０６は遠隔制御器１００に前記のスイッチ上のラベル（ＬＣＤスクリーン１１８上のもの）により指示される動作を実行させる。もしもスイッチ１０２、１０４、１０６の一つにラベルがなければ、スイッチを押しても動作を生じない。アップダウンナビゲーショントグルスイッチ１０８はメニューのナビ、数値の入力、又はテキスト入力中に文字を変更する場合に使用される。
【００７３】
ＬＣＤスクリーン１１８はアイコンを表示して各特徴事項の間の区別を行う。非メニュー頁に対してはアイコンはＬＣＤスクリーン１１８の左上隅に表示できる。メニュー頁に対しては、アイコンは現にハイライト表示されているメニュー事項の左に表示されるが、ただし、主メニュー上ではアイコンは全てのメニュー事項の左に表示される。
【００７４】
システムは使用者が利用できる機能をリストするメニューを介して操作（ナビゲート）され、使用者が迅速に適当な機能を実施できるようにする。これらのメニューはリスト上の一組のオプション事項から構成され、アップダウンナビゲーショントグルスイッチ１０８の操作に応じて上下する１つのハイライトが組み合わされる。ハイライトが適当なオプション事項の上に存在するとき、使用者は３つのソフトキー選択スイッチ１０２、１０４、１０６の一つを押す。システムへのテキスト入力はソフトキー選択スイッチ１０２、１０４、１０６と、アップダウンナビゲーショントグルスイッチ１０８とにより実施される。使用者は２つのソフトキー選択スイッチを使用して点滅するアイコンを上下左右に移動し、アップダウンナビゲーショントグルスイッチ１０８を使用してアイコン上の文字を変える。アップダウンナビゲーショントグルスイッチ１０８を押すと、文字が列上の次の文字に変わる。
【００７５】
図示しないが、遠隔制御器１００は追加の部品、例えば集積されたグルコースメータ（例えば米国カリフォルニア、アラメダ所在のAbbott Diabetes Care社製のThera Sensee Free Style（商品名）グルコースメータ）を含みうる。もしもこうした追加の部品が追加されていれば、遠隔制御器１００の使用者インターフェース部品は通常追加の要素を動作させる。
【００７６】
１つの実施例によると、輸液ポンプ１０のＲＦ遠隔測定処理ユニット２２は高周波（ＲＦ）その他の無全通信標準又はプロトコルを使用して遠隔制御器１００から電気通信を受ける。好ましい実施例では、ＲＦ遠隔測定処理ユニット２２は双方向通信装置であり、受信部と送信部を含む。これにより輸液ポンプ１０は遠隔制御器１００に情報を送信することができる。この実施例では遠隔制御器１００もまた双方向通信が可能であり、これにより輸液ポンプ１０は遠隔制御器１００が送出する情報を受信することができる。
【００７７】
輸液ポンプ１０のローカルプロセッサ２０は典型的には使用者がローカルプロセッサ２０をプログラムするのに必要な全てのプログラム及び電子回路を内蔵している。このような回路は例えば一個以上のマイクロプロセッサ、デジタル及び又はアナログ積分回路、及び他の各種の能動及び受動電子部品を含みうる。
【００７８】
以下に詳細に説明するように、ローカルプロセッサ２０はまた、供給組立体１２をプログラムした所定の時間間隔で作動させるために、典型的にはプログラム用の電子回路及びメモリを含む。好ましい実施例では使用者の命令は遠隔制御器１００で処理されて輸液ポンプ１０のための一つ以上の特定の流れ制御命令を発生する（例えば駆動信号）。別法として、ユーザが命令を遠隔制御器１００に入力し、それにより命令を遠隔制御器１００から輸液ポンプ１０に送り、輸液ポンプ１０ではこれらの命令が処理されて輸液ポンプ１０のための流れ制御信号（例えば駆動信号）を発生する。
【００７９】
図６を参照すると、ローカルプロセッサ２０は典型的には主処理ユニット１５０とインターロック処理ユニット１５２を含んでいる。さらに、輸液ポンプ１０は典型的には主警報ユニット１５４と、インターロック警報ユニット１５６と、ＲＦ遠隔測定処理ユニット２２（ＲＦ部１５８とパススルー部１６０を含む）とを含む。
【００８０】
電源電力を保持するために、輸液ポンプ１０の構成成分の幾つかは「スリープ」（休止）モードに維持されて電力の消費を抑制する。ＲＦ遠隔測定処理ユニット２２は所定の時間間隔（例えば１２５ミリ秒）でウエークアップ（動作）し、規定の周波数（例えば１３．５６ＭＨｚ）でポーリングして遠隔制御器１００が輸液ポンプ１０と通信を試みているかを確認する。もしもデータパケットが受信できる状態に無ければ、ＲＦ遠隔測定処理ユニット２２のＲＦ部１５８は所定時間のスリープモードに戻る。
【００８１】
しかし、もしもデータパケットが受信できる状態にあれば、ＲＦ部１５８はデータパケットを受信してそのパケットが許可された発信源から受信されたものか否かを検査する。典型的にはこの確認作業は受信したデータパケットの内容を調べてそれが規定のビット署名／確認シーケンス（例えば 0110 0110 とか 1001 1001）を含むか否かを見る。もしもかかるシーケンスが存在したら、ＲＦ部１５８は応答信号を遠隔制御器１００に送って、命令セットを送信するように要求する。さらに、ＲＦ部１５８は受信されたパケットが正しいかどうかを例えばチェックサムにより検証することができる。
【００８２】
この時点で、ＲＦ部１５８は主処理ユニット１５０をウエークアップ（動作）させ、受信したデータパケットをさらなる検査と処理のために主処理ユニット１５０に送る。代表的には「ウエークアップ」信号は、各種の相互通信バス（図示せず）を介して通信装置間（たとえば主処理ユニット１５０、インターロック処理ユニット１５２、及びＲＦ遠隔測定処理ユニット２２の間）で行われる。
【００８３】
主処理ユニット１５０は受信したデータパケットを検査して輸液ポンプ１０が確かにデータパケットの意図した受領者であるかどうかを検証する。上に検討したように、受信したデータパケットの１つ以上は典型的には意図した受領者を識別する固有のビット署名／確認シーケンスを含む。もしも受信したデータパケットが意図した受領者（ポンプ１０）を識別する固有のビット署名／確認シーケンスと一致しなければ、輸液ポンプ１０は意図した受領者ではないので、データパケットは主処理ユニット１５０により拒絶され、主処理ユニット１５０はＲＦ遠隔測定処理ユニット２２のＲＦ部１５８に、受信したデータパケットが間違って送られてきたことを知らせる。
【００８４】
しかし、もしも輸液ポンプ１０がデータパケットの真の意図した受信者であれば、主処理ユニット１５０はデータパケットを、遠隔制御器１００から送られてきた正当な命令セットの一部として受領する。このパケット受信と検査手順は、順次に受信されたデータパケットに対し、受信した命令セットが終わるまで続行される。一旦受信されると、完全な命令セットは主命令部分（主処理ユニット１５０での処理のため）及びインターロック処理部分（インターロック処理ユニット１５２での処理のため）を含む。
【００８５】
一旦完全な命令セットが受信されたら、主処理ユニット１５０はインターロック処理ユニット１５２をウエークアップ（動作）させ、その結果、受信された命令セットのインターロック部分はインターロック処理ユニット１５２に送ることができる。典型的には受信された各データパケットはインターロック部分と主部分（及びそれに加えて前記の確認情報）を含む。インターロック部分（インターロック処理ユニット１５２での処理のための）は典型的には単位時間（例えば３０分）当たりの薬剤（インシュリン等）パルス数の形の命令を含む。主部分（主処理ユニット１５０のための）は典型的には薬剤（インシュリン等）の部分パルス数の形の命令を含み、各部分パルスの間には遅延がある。
【００８６】
上記のように、ＲＦ遠隔測定処理ユニット２２はパススルー部１６０を含み、このパススルー部１６０は主処理ユニット１５０とインターロック処理ユニット１５２の間、及びインターロック処理ユニット１５２とインターロック警報ユニット１５６の間のパススルー通信を可能にする。以下で検討するように、ＲＦ遠隔測定処理ユニット２２のパススルー部１６０は通信装置間の回路を構成するが、ＲＦ遠隔測定処理ユニット２２のＲＦ部１５８はこれらの通信装置から隔離されておりこれら通信装置間同士で送受される信号を修正しない。
【００８７】
さらに、ＲＦ遠隔測定処理ユニット２２のパススルー部１６０は、ＲＦ遠隔測定処理ユニット２２の外部の装置により読み書きできる状態レジスタ１６２、１６４を含む。以下で述べるように、ＲＦ遠隔測定処理ユニット２２の状態レジスタ１６２、１６４は主処理ユニット１５０及びインターロック処理ユニット１５２が供給器組立体１２の動作を確認することを可能にし、故障の場合にはポンプ装置信号が供給器組立体１２に到達できないようにする。
【００８８】
上に説明したように、一旦完全な命令セットが受信されると、命令セット中のインターロック部分はインターロック処理ユニット１５２に転送される。インターロック処理ユニット１５２が命令セットのインターロック部分の受信を確認通報しない場合には、主処理ユニット１５０はインターロック処理ユニット１５２が機能不全を生じていることを推定し、警報を主警報ユニット１５４に送る。
【００８９】
インターロック処理ユニット１５２及び主処理ユニット１５０は典型的には別個の電源（図示しない電池、又はコンデンサ）により電力供給される。これらのユニットは共通のクロック（図示せず）の使用により同期しており、独立にそれぞれが受信した命令セットを実行し、結果として冗長度を有する。
【００９０】
受信した命令セットは、しばしば所定量の薬剤を所定間隔（例えば１０分）で分給することを指示することがある。これらの所定間隔の一区間が終わると、主処理ユニット１５０は（ＲＦ遠隔測定処理ユニット２２のパススルー部１６０を介して）インターロック処理ユニット１５２に接触し、それが所定量の薬剤の分給に適した時間であることを確認する。もしもインターロック処理ユニット１５２が応答しなければ、主処理ユニット１５０はインターロック処理ユニット１５２が機能不全を起こしているものと推定して、主警報ユニット１５４に警報を送る。
【００９１】
さらに、インターロック処理ユニット１５２が所定量の薬剤を分給するのに適した時間でないとして同意しない場合には、インターロック処理ユニット１５２は警報を、ＲＦ遠隔測定処理ユニット２２のパススルー部１６０を介してインターロック警報ユニット１５６に警報を送る。さらに、又はこれに代えて、主処理ユニット１５０は主警報ユニット１５４に警報を送っても良い。
【００９２】
もしもインターロック処理ユニット１５２と主処理ユニット１５０の両者が、所定量の薬剤を分給する時間であることに同意した場合には、主処理ユニット１５０は適当な「ポンプ駆動信号」を供給組立体１２に供給する。
【００９３】
供給器組立体１２が薬剤の供給を完了した後、完了信号が供給器組立体１２から状態レジスタ１６２に供給されて、薬剤が上首尾に供給されたことを確認する。主処理ユニット１５０及びインターロック処理ユニット１５２は状態レジスタ１６２を監視して薬剤が供給されたかどうかを確認する。もしも規定時間（例えば１〜５秒）が経過した後に状態レジスタ１６２が薬剤が供給されたことを表示しなければ、主処理ユニット１５０は、供給器組立体１２が機能不全を起こしているものと推定し、主処理ユニット１５０は警報を主警報ユニット１５４に表示する。これに加えて、又はこの代わりに、インターロック処理ユニット１５２は（ＲＦ遠隔測定処理ユニット２２のパススルー部１６０を介して）インターロック警報ユニット１５６に警報を送る。
【００９４】
警報に加えて、供給器組立体１２が薬剤を供給できない場合には、主処理ユニット１５０及び／又はインターロック処理ユニット１５２は、供給器故障信号を第２の状態レジスタ１６４に送ることができる。レジスタ１６４の値は、信号線１６８上にあって供給器組立体１２に「ポンプ駆動信号」を供給するリレー１６６（例えばＦＥＴトランジスタ）が作動されたかどうかを決定する。従って、供給器組立体１２が所定量の薬剤を供給できない場合には、供給器組立体１２はそれを制御する信号線１６８から電気的に切り離される。
【００９５】
ＲＦ遠隔測定処理ユニット２２と遠隔制御器１００がＲＦデータ信号を無線通信チャンネル１７０を介して送信することにより通信する場合には、この通信は典型的には非制限周波数帯域で行われる。この周波数帯域は公衆に開放された帯域であり、特定のクラスの装置に専用されるような制限はない。例えば、４０８−４１２ＭＨｚの帯域は制限帯域であり、米国では医療装置に専用のものである。非制限周波数帯域の例は１３．４０−１３．７０ＭＨｚであり、世界的に公衆の使用に供せられ、特定のクラスの装置に制限されていない。具体的には、ＲＦ遠隔測定処理ユニット２２及び遠隔制御器１００は、典型的には１３．５６ＭＨｚの搬送信号に命令セット内で符号化された個々のデータパケットを乗せて通信する。
【００９６】
ＲＦ遠隔測定処理ユニット２２は、遠隔制御器１００との間の無線通信を容易にするために、アンテナ組立体１７２に電気的に接続されている。輸液ポンプ１０の寸法を最小にすることが望ましいので、アンテナ組立体１７２は典型的には小型アンテナの設計を有する（例えば渦巻き状又は螺旋状アンテナ）。当業界で知られているように、アンテナ１７２の実効長は搬送信号の波長の所定割合（例えば２５％、５０％又は１００％）で得有る。１３．５６ＭＨｚの搬送波に対しては、搬送波の波長は２２．１００ｍであるので、所定割合とはそれぞれ５．５２５ｍ、１１．０５０ｍ及び２２．１００ｍである。
【００９７】
輸液ポンプ１０の外形寸法を減少することが望ましいので、主処理ユニット１５０及びＲＦ遠隔測定処理ユニット２２は典型的には単一のマイクロチップ１７４、例えばＡＳＩＣ（特定用途向け集積回路、つまり専用集積回路）である。もしも主処理ユニット１５０とＲＦ遠隔測定処理ユニット２２が単一のマイクロチップに組み込まれたら、マイクロチップへはユニット１５０と２２への別々の２つの電源（図示せず）から電力を供給する必要がありうる。これに加えて、又はこれとは別に、インターロック処理ユニット１５２、ＲＦ遠隔測定処理ユニット２２及び主処理ユニット１５０を単一のマイクロチップ１７４’（点線で表示）に合体することができる。設計上、主処理ユニット１５０及びインターロック処理ユニット１５２は別個の電源から駆動されるので、もしも全ての３つのユニット１５０、１５２、２２が単一のマイクロチップに組み込まれた場合には３つの電源がマイクロチップ１７４’の駆動に必要となる。
【００９８】
２個以上の処理ユニット（例えば主処理ユニット１５０、インターロック処理ユニット１５２、及び／又はＲＦ遠隔測定処理ユニット２２）を単一マイクロチップ１７４に合体させる場合には、単一マイクロチップ１７４の外部にアンテナ１７２を配置して、マイクロチップ１７４内での電磁的な干渉の危険を減じることが望ましいであろう。さらに、もしもＲＦ遠隔測定処理ユニット２２がブースト回路１７６（すなわちアンテナ１７２により発信または受信された信号の増幅を行う回路）を使用する場合には、ブースト回路１７６はマイクロチップ１７４の外部に配置して、主処理ユニット１５０及び／又はインターロック処理ユニット１５２を電磁的な干渉からシールドすることが望ましい。
【００９９】
供給器組立体１２は、典型的には初期化信号をローカルプロセッサ２０（すなわち、主処理ユニット１５０及び／又はインターロック処理ユニット１５２）に供給する充填センサ２４（例えば常開機械スイッチ）を含む。供給器組立体１２は軸線方向に（充填か排出かにより方向が異なる）移動するプランジャー（図示せず）を有する流体貯器１４を具備している。流体貯器１４は通常工場から空で出荷されるので輸液ポンプ１０の使用に先立った薬剤で充填する必要がある。
【０１００】
流体貯器１４を薬剤で充填するに先立って、輸液ポンプ１０は不作動状態に置かれ、それにより消費電力を減じ、棚寿命を延ばす。輸液ポンプ１０を作動させるときには、患者は供給器組立体１２の流体貯器１４を薬剤で充填しなければならない。流体貯器１４が少なくとも所定量の薬剤（例えば５０単位）で充填されたら、流体貯器１４のプランジャーが充填センサ２４に接触するに至り、それにより充填センサ２４は初期化信号をローカルプロセッサ２０に送る。この時点で輸液ポンプ１０の各種の構成部品が初期化されそして上記の動作を開始する。
【０１０１】
多数の実施形態を記載したが、本発明には各種の変形例があり得ることを理解されたい。従って他の実施形態も本発明の範囲内である。
【図面の簡単な説明】
【０１０２】
【図１】輸液ポンプと遠隔制御器を備えた流体供給システムの図式的な斜視図である。
【図２】図１に示した輸液ポンプの平面斜視図である。
【図３】図１に示した輸液ポンプの底面図である。
【図４】上側ハウジングを除いて示した図１の予想ポンプの斜視図である。
【図５】図１の遠隔制御器の正面図である。
【図６】図１の輸液ポンプの概念図である。
【符号の説明】
【０１０３】
１０  輸液ポンプ
１２  供給器組立体
１４  流体貯器
１６  流路組立体
１８  経皮投与具（針など）
２０  ローカルプロセッサ
２２  ＲＦ遠隔測定処理ユニット
２４  充填センサ
２６  ハウジング
２８  接着層
１００  遠隔制御器
１０２、１０４、１０６  ソフトキー選択スイッチ
１０８  アップダウンナビゲーショントグルスイッチ
１１０  ユーザ情報表示スイッチ
１１２  電源オン・オフスイッチ
１１４  ポンプ状態チェックスイッチ
１１６  即時ボーラススイッチ
１１８  ＬＣＤスクリーン
１５０  主処理ユニット
１５２  インターロック処理ユニット
１５４  主警報ユニット
１５６  インターロック警報ユニット
１５８  ＲＦ部
１６０  パススルー部
１６２  第１の状態レジスタ
１６４  第２の状態レジスタ
１６６  リレー
１６８  信号線
１７０  無線通信チャンネル
１７２  アンテナ組立体
１７４、１７４’  単一マイクロチップ
１７６  ブースト回路  
【図１】
2007525243.tif 000003
【図２】
2007525243.tif 000004
【図３】
2007525243.tif 000005
【図４】
2007525243.tif 000006
【図５】
2007525243.tif 000007
【図６】
2007525243.tif 000008
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
非制限周波数帯域で発信されるＲＦデータ信号を受信するように構成されたＲＦ遠隔測定部と、前記ＲＦ遠隔測定部が受信した前記ＲＦデータ信号を処理するように構成された処理部とを有する医療装置。
【請求項２】
前記処理部は主処理ユニットとインターロック処理ユニットを有する請求項１の医療装置。
【請求項３】
前記非制限周波数帯は１３．４０−１３．７０ＭＨｚである請求項１の医療装置。
【請求項４】
前記ＲＦ遠隔測定器は１３．５６ＭＨｚの搬送信号内で符号化されたデータを受信するように構成されている請求項１の医療装置。
【請求項５】
前記ＲＦ遠隔測定部はさらに１３．５６ＭＨｚの搬送信号内で符号化されたデータを送信するように構成されている請求項１の医療装置。
【請求項６】
前記ＲＦデータ信号は所定の確認シーケンスを含むことができ、ＲＦ遠隔測定部はさらに前記ＲＦデータ信号を検査することにより該ＲＦデータ信号が所定の確認シーケンスを含むかどうかを確認するように構成されている請求項１の医療装置。
【請求項７】
前記ＲＦ遠隔測定部はさらに、前記ＲＦデータ信号が所定の確認シーケンスを含んでいる場合には、前記ＲＦデータ信号を送信する装置に対して応答信号を送信するように構成されている請求項６の医療装置。
【請求項８】
さらに医療装置の前記処理部に応答して前記ＲＦデータ信号に従って医薬の供給を行う供給装置を備えている請求項１の医療装置。
【請求項９】
非制限周波数帯域で発信されるＲＦデータ信号を受信し、受信したそのＲＦデータ信号を処理することを含む医療装置との通信方法。
【請求項１０】
非制限周波数帯域は１３．４０−１３．７０ＭＨｚである請求項９の方法。
【請求項１１】
ＲＦデータ信号の受信は１３．５６ＭＨｚの搬送信号内で符号化されたデータを受信することである請求項９の方法。
【請求項１２】
さらに１３．５６ＭＨｚの搬送信号内で符号化されたデータを送信することを含む請求項９の方法。
【請求項１３】
前記ＲＦデータ信号は所定の確認シーケンスを含み、さらに本方法は前記ＲＦデータ信号を検査して前記ＲＦデータ信号が所定の確認シーケンスを含むことを確かめることを含む請求項９の方法。
【請求項１４】
さらに、前記ＲＦデータ信号が所定の確認シーケンスを含むことが決定された場合に、前記ＲＦデータ信号を送信した装置に応答信号を送信する請求項１３の方法。
【請求項１５】
遠隔制御器と輸液ポンプとを含み、前記輸液ポンプは、前記液体を供給するための供給器と、非制限周波数帯域で発信される前記遠隔制御器からのＲＦデータ信号を受信する遠隔測定部と、前記ＲＦ遠隔測定部が受信したＲＦデータ信号を処理して前記ＲＦ遠隔測定部から受信したＲＦデータ信号に従って前記供給器を制御する処理部よりなる、流体を患者に供給するためのシステム。
【請求項１６】
前記非制限周波数帯は１３．４０−１３．７０ＭＨｚである請求項１５のシステム。
【請求項１７】
前記ＲＦ遠隔測定部はさらに１３．５６ＭＨｚの搬送信号内で符号化された信号を受信するように構成されている請求項１５のシステム。
【請求項１８】
前記ＲＦ遠隔測定部はさらに１３．５６ＭＨｚの搬送信号内で符号化されたデータを送信するように構成されている請求項１５のシステム。
【請求項１９】
ＲＦデータ信号を受信するように構成されたＲＦ遠隔測定部と、前記ＲＦ遠隔測定部が受信した前記ＲＦデータ信号を処理するように構成された処理部と、前記処理部に応答して前記ＲＦデータ信号に従って薬剤を供給する供給装置とを含み、前記供給装置は、前記供給装置に設けた流体貯器に所定量の薬剤が充填されている場合に前記処理部に初期化信号を与える充填センサを有している医療装置。
【請求項２０】
前記薬剤の所定量は前記流体貯器の体積の約半分である請求項１９の医療装置。
【請求項２１】
薬剤はインシュリンである請求項１９の医療装置。
【請求項２２】
前記充填センサは流体が所定量以上の薬剤で満たされたときに閉鎖する常時開放機械スイッチである請求項１９の医療装置。
【請求項２３】
前記処理部により初期化信号が受信されると、前記ＲＦ遠隔測定部は定期的に所定のＲＦ周波数をポーリングして前記ＲＦデータ信号が受信できるかどうかを決定するように構成されている請求項１９の医療装置。
【請求項２４】
前記所定のＲＦ周波数は１３．４０−１３．７０ＭＨｚの周波数帯域内にある請求項２３の医療装置。
【請求項２５】
前記ＲＦ遠隔測定部はさらに１３．５６ＭＨｚの搬送信号内で符号化されているデータを受信するように構成されている請求項１９の医療装置。
【請求項２６】
前記ＲＦ遠隔測定部はさらに１３．５６ＭＨｚの搬送信号内で符号化されているデータを送信するように構成されている請求項１９の医療装置。
【請求項２７】
処理部と供給装置を有する医療装置を低電力スリープモードにし、前記供給装置を少なくとも所定量の薬剤で満たし、前記処理部に初期化信号を供給することにより、棚寿命を延ばす方法。
【請求項２８】
さらに前記医療装置はＲＦ遠隔測定部を含み、該ＲＦ遠隔測定部を介して定期的に所定のＲＦ周波数をポーリングしてＲＦデータ信号が受信できるかどうかを決定する請求項２７の方法。
【請求項２９】
前記所定のＲＦ周波数は１３．４０−１３．７０ＭＨｚの周波数帯域内にある請求項２８の方法。
【請求項３０】
前記ＲＦデータ信号は受信が可能であり、前記ＲＦデータ信号は所定の確認シーケンスを含んでおり、前記方法はさらに所定の確認シーケンスを含んでいることを確認するために前記ＲＦデータ信号を検査することを含む請求項２８の方法。
【請求項３１】
さらに、前記ＲＦデータ信号が前記所定の確認シーケンスを含んでいることを確認した場合に前記ＲＦ信号を送信する装置に応答信号を送信する請求項３０の方法。
【国際調査報告】
2007525243.tif 000009